(57)【要約】【課題】  足裏、足首に装着した状態で行動してもズレないカイロ装着具を提供する。【解決手段】  足裏にあてがうような袋状物に使い捨てカイロが出し入れできるように一辺が開放されており、該開放部には着脱自在な係止具が取り付けられ、前記袋状物の前部の左右には親指および小指に結び付けできるような紐が取り付けられ、また、後部の左右には足首に結び付けできるような紐が取り付けられている。足首にあてがうような袋状物に使い捨てカイロが出し入れできるように一辺が開放されており、該開放部には着脱自在な係止具が取り付けられ、前記袋状物の左右には足首に結び付けできるような紐が取り付けられている。【選択図】        図１
0003132865.tif 000002
【実用新案登録請求の範囲】
【請求項１】
足裏にあてがうような袋状物に使い捨てカイロが出し入れできるように一辺が開放されており、該開放部には着脱自在な係止具が取り付けられ、前記袋状物の前部の左右には親指および小指に結び付けできるような紐が取り付けられ、また、後部の左右には足首に結び付けできるような紐が取り付けられていることを特徴とするカイロ装着具。
【請求項２】
足裏にあてがうような袋状物に使い捨てカイロが出し入れできるように一辺が開放されており、該開放部には着脱自在な係止具が取り付けられ、前記袋状物の前部の左右には親指および小指に巻き付けできるような紐の先端に、着脱自在な係止具が取り付けられ、また、後部の左右には足首に結び付けできるような紐の先端に、着脱自在な係止具が取り付けられていることを特徴とするカイロ装着具。
【請求項３】
足裏にあてがうような袋状物に使い捨てカイロが出し入れできるように一辺が開放されており、該開放部には着脱自在な係止具が取り付けられ、前記袋状物の前部の左右には親指および小指に巻き付けできるような輪状伸縮部材が取り付けられ、また、後部の左右には足首に巻き付けできるような輪状伸縮部材が取り付けられていることを特徴とするカイロ装着具。
【請求項４】
足首にあてがうような袋状物に使い捨てカイロが出し入れできるように一辺が開放されており、該開放部には着脱自在な係止具が取り付けられ、前記袋状物の左右には足首に結び付けできるような紐が取り付けられていることを特徴とするカイロ装着具。
【請求項５】
足首にあてがうような袋状物に使い捨てカイロが出し入れできるように一辺が開放されており、該開放部には着脱自在な係止具が取り付けられ、前記袋状物の左右には足首に巻き付けできるような紐の先端に着脱自在な係止具が取り付けられていることを特徴とするカイロ装着具。
【請求項６】
足首にあてがうような袋状物に使い捨てカイロが出し入れできるように一辺が開放されており、該開放部には着脱自在な係止具が取り付けられ、前記袋状物の左右には足首に巻き付けできるような輪状伸縮部材が取り付けられていることを特徴とするカイロ装着具。
【請求項７】
足首の周りにあてがうような横長矩形状の袋状物が長さ方向に複数区画に仕切られ、各区画は使い捨てカイロが出し入れできるように一辺が開放されており、該開放部には着脱自在な係止具が取り付けられ、前記袋状物の左右には足首に結び付けできるような紐が取り付けられていることを特徴とするカイロ装着具。
【請求項８】
足首の周りにあてがうような横長矩形状の袋状物が長さ方向に複数区画に仕切られ、各区画は使い捨てカイロが出し入れできるように一辺が開放されており、該開放部には着脱自在な係止具が取り付けられ、前記袋状物の左右には足首に巻き付けできるような紐の先端に着脱自在な係止具が取り付けられていることを特徴とするカイロ装着具。
【請求項９】
足首の周りにあてがうような横長矩形状の袋状物が長さ方向に複数区画に仕切られ、各区画は使い捨てカイロが出し入れできるように一辺が開放されており、該開放部には着脱自在な係止具が取り付けられ、前記袋状物の左右には足首に巻き付けできるような輪状伸縮部材が取り付けられていることを特徴とするカイロ装着具。
【考案の詳細な説明】
【技術分野】
【０００１】
本考案は、カイロ装着具に関するものである。
【背景技術】
【０００２】
近年、高齢化が言われて久しいが、最近の高齢者を観ていると行動力がある。そして、行動力の保持か健康維持のためか、足裏の保温のためか、化学カイロを着けて行動している人が多くなっている。そのためか、カイロメーカーでは簡易に装着できるように、カイロに接着テープ等を付けた物が販売されている。
【考案の開示】
【考案が解決しようとする課題】
【０００３】
しかしながら、利用者の声を聞くと、行動中に要所からズレてしまい、位置を修正するのが大変である。また、足裏の汗，脂，汚れ等による異臭等が発生し、不衛生である。このような不衛生な状況の発生は、カイロが発熱するので特に問題である。
そこで、本考案の目的は、足裏および足首に装着した状態で行動してもズレないカイロ装着具を提供することである。
【課題を解決するための手段】
【０００４】
本考案の第１課題解決手段は、足裏にあてがうような袋状物に使い捨てカイロが出し入れできるように一辺が開放されており、該開放部には着脱自在な係止具が取り付けられ、前記袋状物の前部の左右には親指および小指に結び付けできるような紐が取り付けられ、また、後部の左右には足首に結び付けできるような紐が取り付けられていることである。
【０００５】
本考案の第２課題解決手段は、足裏にあてがうような袋状物に使い捨てカイロが出し入れできるように一辺が開放されており、該開放部には着脱自在な係止具が取り付けられ、前記袋状物の前部の左右には親指および小指に巻き付けできるような紐の先端に、着脱自在な係止具が取り付けられ、また、後部の左右には足首に結び付けできるような紐の先端に、着脱自在な係止具が取り付けられていることである。
【０００６】
本考案の第３課題解決手段は、足裏にあてがうような袋状物に使い捨てカイロが出し入れできるように一辺が開放されており、該開放部には着脱自在な係止具が取り付けられ、前記袋状物の前部の左右には親指および小指に巻き付けできるような輪状伸縮部材が取り付けられ、また、後部の左右には足首に巻き付けできるような輪状伸縮部材が取り付けられていることである。
【０００７】
本考案の第４課題解決手段は、足首にあてがうような袋状物に使い捨てカイロが出し入れできるように一辺が開放されており、該開放部には着脱自在な係止具が取り付けられ、前記袋状物の左右には足首に結び付けできるような紐が取り付けられていることである。
【０００８】
本考案の第５課題解決手段は、足首にあてがうような袋状物に使い捨てカイロが出し入れできるように一辺が開放されており、該開放部には着脱自在な係止具が取り付けられ、前記袋状物の左右には足首に巻き付けできるような紐の先端に着脱自在な係止具が取り付けられていることである。
【０００９】
本考案の第６課題解決手段は、足首にあてがうような袋状物に使い捨てカイロが出し入れできるように一辺が開放されており、該開放部には着脱自在な係止具が取り付けられ、前記袋状物の左右には足首に巻き付けできるような輪状伸縮部材が取り付けられていることである。
【００１０】
本考案の第７課題解決手段は、足首の周りにあてがうような横長矩形状の袋状物が長さ方向に複数区画に仕切られ、各区画は使い捨てカイロが出し入れできるように一辺が開放されており、該開放部には着脱自在な係止具が取り付けられ、前記袋状物の左右には足首に結び付けできるような紐が取り付けられていることである。
【００１１】
本考案の第８課題解決手段は、足首の周りにあてがうような横長矩形状の袋状物が長さ方向に複数区画に仕切られ、各区画は使い捨てカイロが出し入れできるように一辺が開放されており、該開放部には着脱自在な係止具が取り付けられ、前記袋状物の左右には足首に巻き付けできるような紐の先端に着脱自在な係止具が取り付けられていることである。
【００１２】
本考案の第９課題解決手段は、足首の周りにあてがうような横長矩形状の袋状物が長さ方向に複数区画に仕切られ、各区画は使い捨てカイロが出し入れできるように一辺が開放されており、該開放部には着脱自在な係止具が取り付けられ、前記袋状物の左右には足首に巻き付けできるような輪状伸縮部材が取り付けられていることである。
【考案の効果】
【００１３】
本考案により、足裏または足首に装着した状態で行動してもズレないカイロ装着具が得られることとなった。
【考案を実施するための最良の形態】
【００１４】
以下に本考案の一実施例を図面に基づき説明する。図１〜４は足裏用のものである。
図１，２において、足裏にあてがうような袋状物１に使い捨てカイロＡが出し入れできるように一辺が開放されており、該開放部には開閉可能なように係止具２が取り付けられ、前記袋状物の前部の左右には親指および小指に結び付けできるような紐３が取り付けられ、また、後部の左右には足首に結び付けできるような紐４が取り付けられている。
【００１５】
前記袋状物１は、メッシュ性が高く、吸収性の高い布地（網の目状の生地や編み地でできたもの）を使用し、足裏にあてがうを縫製して作られる。そしてその中に、開放部よりカイロAを挿入する。抜け防止のために、開放部はマジックテープ（登録商標）等の着脱自在な係止具２で包止できるようにする。足裏への装着は左右または必要により上下にも紐３，４を付け、親指，小指または足首に結び付けできるようにする。
このことにより、カイロは要所からズレなくなり、簡単に洗濯もできるので、衛生的でもあり、効果的である。
【００１６】
図３は紐３，４の先端に着脱自在な係止具５を取り付けたものである。即ち、足裏にあてがうような袋状物１に使い捨てカイロＡが出し入れできるように一辺が開放されており、該開放部には着脱自在な係止具２が取り付けられ、前記袋状物の前部の左右には親指および小指に巻き付けできるような紐３の先端に、着脱自在な係止具５が取り付けられ、また、後部の左右には足首に結び付けできるような紐４の先端に、着脱自在な係止具５が取り付けられている。
【００１７】
図４は紐に代えて、輪ゴム６等としたものである。即ち、足裏にあてがうような袋状物１に使い捨てカイロＡが出し入れできるように一辺が開放されており、該開放部には着脱自在な係止具２が取り付けられ、前記袋状物の前部の左右には親指および小指に巻き付けできるような輪状伸縮部材６が取り付けられ、また、後部の左右には足首に巻き付けできるような輪状伸縮部材６が取り付けられている。
【００１８】
図５〜８は足首用のものである。即ち、図５において、足首にあてがうような袋状物２１に使い捨てカイロＡが出し入れできるように一辺が開放されており、該開放部には着脱自在な係止具２２が取り付けられ、前記袋状物の左右には足首に結び付けできるような紐２３が取り付けられている。
【００１９】
図５，６において、紐２３の先端に着脱自在な係止具２４が取り付けられてもよい。即ち、足首にあてがうような袋状物２１に使い捨てカイロＡが出し入れできるように一辺が開放されており、該開放部には着脱自在な係止具２２が取り付けられ、前記袋状物の左右には足首に巻き付けできるような紐２３の先端に着脱自在な係止具２４が取り付けられる。
【００２０】
図５，７において、紐に代えて、輪ゴム２５などが取り付けられてもよい。即ち、足首にあてがうような袋状物２１に使い捨てカイロＡが出し入れできるように一辺が開放されており、該開放部には着脱自在な係止具が取り付けられ、前記袋状物の左右には足首に巻き付けできるような輪状伸縮部材２５が取り付けられている。
【００２１】
図８において、袋状物が複数区画を持ってもよい。即ち、足首の周りにあてがうような横長矩形状の袋状物３１が長さ方向に複数区画に仕切られ、各区画は使い捨てカイロＡが出し入れできるように一辺が開放されており、該開放部には着脱自在な係止具３２が取り付けられ、前記袋状物の左右には足首に結び付け可能な紐３３が取り付けられている。
【００２２】
図８，６において、紐３３の先端に着脱自在な係止具３４が取り付けられてもよい。即ち、足首の周りににあてがうような横長矩形状の袋状物３１が長さ方向に複数区画に仕切られ、各区画は使い捨てカイロＡが出し入れできるように一辺が開放されており、該開放部には着脱自在な係止具３２が取り付けられ、前記袋状物の左右には足首に巻き付けできるような紐３３の先端に着脱自在な係止具３４が取り付けられている。
【００２３】
図８，７において、紐に代えて、輪ゴム３５などが取り付けられてもよい。即ち、足首の周りにあてがうような横長矩形状の袋状物３１が長さ方向に複数区画に仕切られ、各区画は使い捨てカイロＡが出し入れできるように一辺が開放されており、該開放部には着脱自在な係止具３２が取り付けられ、前記袋状物の左右には足首に巻き付けできるような輪状伸縮部材３５が取り付けられている。
【００２４】
本考案は前記した実施例や実施態様に限定されず、実用新案登録請求の範囲および範囲を逸脱せずに種々の変形を含む。
【産業上の利用可能性】
【００２５】
本考案は、足裏用および足首用のカイロ装着具に利用できる。
【図面の簡単な説明】
【００２６】
【図１】本考案の足裏用カイロ装着具の一実施例の斜視図である。
【図２】図１の使用状態の断面図である。
【図３】紐に着脱自在な係止具を付けた実施例の斜視図である。
【図４】輪状伸縮部材を付けた実施例の斜視図である。
【図５】本考案の足首用カイロ装着具の一実施例の正面図である。
【図６】紐に着脱自在な係止具を付けた実施例の斜視図である。
【図７】輪状伸縮部材を付けた実施例の斜視図である。
【図８】本考案の足首用カイロ装着具の他の実施例の正面図である。
【符号の説明】
【００２７】
Ａ  カイロ
１  袋状物
２  着脱自在な係止具
３  足指用紐
４  足首用紐
５  着脱自在な係止具
６  輪ゴム
２１  袋状物
２２  着脱自在な係止具
２３  足首用紐
２４  着脱自在な係止具
２５  輪ゴム
３１  袋状物
３２  着脱自在な係止具
３３  足首用紐
３４  ファスナー
３５  着脱自在な係止具
【図１】
0003132865.tif 000003
【図２】
0003132865.tif 000004
【図３】
0003132865.tif 000005
【図４】
0003132865.tif 000006
【図５】
0003132865.tif 000007
【図６】
0003132865.tif 000008
【図７】
0003132865.tif 000009
【図８】
0003132865.tif 000010